(57)【要約】【課題】３５０Ｈｚ〜７００Ｈｚ程度の低い周波数を消音することができ、高い通気性と防音性能を両立することができ、また、風切り音の発生を抑制でき、また、通気スリーブに合わせた設計が不要で汎用性の高い防音システムを提供することを課題とする。【解決手段】壁を貫通して設置された通気スリーブに、消音器が配置された防音システムにおいて、消音器は、通気スリーブの外周部に形成された空洞部、および、空洞部と通気スリーブとを連通する開口部を有するケース部と、ケース部の空洞部内の少なくとも一部に、または、ケース部の開口部の少なくとも一部を覆う位置に配置される多孔質吸音材と、を有し、消音器の開口部は、消音器を配置しない状態の防音システム内における通気スリーブの音場空間に接続されており、通気スリーブが第一共鳴する音波の周波数をＦ1、波長をλとし、消音器内の周波数Ｆ1における実効音響伝搬長をαとすると、−１．８＜ｌｏｇ10（α／λ）＜１．３を満たす。【選択図】図１
2020024354.tif 000002
【特許請求の範囲】
【請求項１】
壁を貫通して設置された通気スリーブに、消音器が配置された防音システムであって、
前記消音器は、前記通気スリーブの外周部に形成された空洞部、および、前記空洞部と前記通気スリーブとを連通する開口部を有するケース部と、前記ケース部の前記空洞部内の少なくとも一部に、または、前記ケース部の前記開口部の少なくとも一部を覆う位置に配置される多孔質吸音材と、を有し、
前記消音器の前記開口部は、前記防音システム内における前記通気スリーブの音場空間に接続されており、
前記消音器を配置しない状態の前記通気スリーブが第一共鳴する音波の周波数をＦ1、波長をλとし、周波数Ｆ1における前記消音器内の実効音響伝搬長をαとすると、
−１．８＜ｌｏｇ10（α／λ）＜１．３
を満たす防音システム。
【請求項２】
前記実効音響伝搬長αが、
−１．２＜ｌｏｇ10（α／λ）＜１．０
を満たす請求項１に記載の防音システム。
【請求項３】
前記通気スリーブ内に生じる第一共鳴の周波数をＦ0とし、前記多孔質吸音材を有さない前記消音器の共鳴周波数をＦ1とすると、０．８５×Ｆ0＜Ｆ1＜１．１５×Ｆ0を満たす前記消音器を有さない請求項１または２に記載の防音システム。
【請求項４】
前記壁は室外と室内とを区切る壁であり、
前記壁の室内側に前記壁に平行に設けられた化粧板を有し、
前記通気スリーブは前記壁および前記化粧板を貫通するように設けられており、
前記消音器は、前記壁と、前記化粧板との間に配置されている請求項１〜３のいずれか一項に記載の防音システム。
【請求項５】
前記壁と前記化粧板との間の空間を含む、前記壁と前記化粧板との合計厚みが、１７５ｍｍ〜４００ｍｍである請求項４に記載の防音システム。
【請求項６】
前記多孔質吸音材の流れ抵抗σ1［Ｐａ・ｓ／ｍ2］は、
０＜ｌｏｇ（σ1）＜５．５
を満たす請求項１〜５のいずれか一項に記載の防音システム。
【請求項７】
前記ケース部の前記空洞部の幅Ｌ1は、
０．０１×λ≦Ｌ1≦３００ｍｍ
を満たす請求項１〜６のいずれか一項に記載の防音システム。
【請求項８】
前記ケース部の前記空洞部の深さＬ2は、
０．０２５×λｍｍ≦Ｌ2≦１７５ｍｍ
を満たす請求項１〜７のいずれか一項に記載の防音システム。
【請求項９】
前記通気スリーブの平均内径が７０ｍｍ〜１６０ｍｍである請求項１〜８のいずれか一項に記載の防音システム。
【請求項１０】
前記通気スリーブの端部に設置されるカバー部材を有する請求項１〜９のいずれか一項に記載の防音システム。
【請求項１１】
前記通気スリーブの端部に設置される風量調整部材を有する請求項１〜１０のいずれか一項に記載の防音システム。
【発明の詳細な説明】
【技術分野】
【０００１】
本発明は、防音システムに関する。
【背景技術】
【０００２】
換気口、空調用ダクトなど、室内と室外とを隔てる壁に設けられた、室内と室外とを貫通する通気スリーブにおいて、室外からの騒音が室内に伝わるのを抑制するため、あるいは室内からの騒音が外部に伝わるのを抑制するために、通気スリーブ内にウレタン、ポリエチレン等からなる多孔質の吸音材を設置することが行なわれている。
しかしながら、ウレタンおよびポリエチレン等の多孔質吸音材を用いる場合には、８００Ｈｚ以下の低周波音の吸収率が極端に低くなるため、吸収率を大きくするためには体積を大きくすることが必要であるが、換気口、空調用ダクトなどの通気性を確保する必要があるため、多孔質吸音材の大きさには限度があり、高い通気性と防音性能とを両立することが難しいという問題があった。
【０００３】
ここで、換気口および空調用ダクト等の通気スリーブにおける騒音として、通気スリーブの共鳴音が問題となる。特に、最低周波数の共鳴音が問題となる。この共鳴音が８００Ｈｚ以下の場合には、多孔質吸音材で防音するためには、多孔質吸音材の量が著しく増加してしまう。そのため、通気を犠牲にしたとしても、一般的に十分な防音性能を出すことは難しい。市販品を例にあげると、住宅用換気スリーブの内部に挿入する吸音材タイプの防音製品であるポリエチレン製防音スリーブ（株式会社新協和製  ＳＫ−ＢＯ７５）では、開口率が３６％となり大幅に通気量を低下させるにもかかわらず、８割以上の共鳴音が透過してしまう。
このような通気スリーブの共鳴音を消音するために、特定の周波数の音を消音する共鳴型の消音器を用いることが提案されている。
【０００４】
例えば、特許文献１には、第１空間と第２空間とを仕切る仕切部に、両空間相互の通気を図る通気スリーブが貫通状態に設けられ、通気スリーブの通過音に対する消音を図る共鳴型消音機構が通気スリーブに設けられている通気孔構造であって、共鳴型消音機構は、通気スリーブの筒軸芯方向における仕切部の外の位置で、且つ、仕切部と、仕切部に沿ってその表面から離間する状態に設けられた化粧板との間の位置で、通気スリーブの外周部に形成してある通気孔構造が記載されている。また、共鳴型消音機構として、気柱共鳴を利用したサイドブランチ型消音器、および、ヘルムホルツ共鳴器が記載されている。
【０００５】
また、特許文献２には、スリット状開口部を有する共鳴器が、建物の開口部の内壁における壁面に、配される騒音低減構造が記載されている。
【０００６】
また、特許文献３には、消音容器と、減音装置とより構成し、消音容器は、内面に吸音材を貼り付けた中空の容器であり、その一面に開口してある屋外側換気口と、消音容器の他面に開口してある屋内側換気口を備え、屋外側換気口と、屋内側換気口は、消音容器の対応しない位置に配置してあり、一方、減音装置は給気筒と共鳴音吸音材とより構成し、給気筒は両端が貫通した筒体であり、給気筒の消音容器側の端には共鳴音吸音材が位置し、その共鳴音吸音材は給気筒の内径とほぼ同一内径の筒状空洞部を備え、給気筒の中心軸と、筒状空洞部の中心軸が一致する状態で配置してあり、境界要素法解析により、単なる筒体と消音容器を組み合わせただけでは音波の粒子速度が他の位置よりも高くなる取り合い部分である給気筒の消音容器側の先端に共鳴音吸音材が位置している消音換気装置が記載されている。
【０００７】
特許文献４には、自然換気口のスリーブ管内に設置して用いる消音用管状体であって、少なくとも一方の端部を閉止し、他方の端部付近に開口部を設け、一方の端部から開口部の中心までの長さがスリーブ管の全長の略半分の長さを有し、内部には多孔質材を配置する消音用管状体が記載されている。この特許文献４においては、消音用管状体の長さをスリーブ管の全長の略半分の長さとすることで、消音用管状体の固有振動数（共鳴周波数）をスリーブ管に生じる共鳴音の１次固有振動数（共鳴周波数）と一致させることが記載されている。
【０００８】
特許文献５には、筒状の換気口部材と、この換気口部材に外嵌された複数の閉鎖空間と、この各閉鎖空間と換気口部材とを連通する当該換気口部材に形成の共鳴器用開口とを備え、各閉鎖空間と連通の各共鳴器用開口の開口面積をそれぞれ異ならせた消音換気口が記載されている。この特許文献５には、筒状の換気口部材内を騒音が通過する際に起きる気柱共鳴周波数の透過音を低減するために、ヘルムホルツ型共鳴器を１個のみ設けると、その前後の周波数域に新たに筒抜音が発生して低減効果を得ることができないため、この対策として複数個を設けることが記載されている。
【０００９】
特許文献６には、ヘルムホルツ共鳴などを利用した壁面や天井などに設ける音吸収装置であって、複数の隣接するパネルの間のスロットの開口部に対して、ファイバー材や解放発泡材などからなる吸音材を配置する音吸収装置が記載されている。
【００１０】
特許文献７には、通気ダクトを利用して電子機器の動作騒音を低減させる消音装置であって、通気ダクトを構成するダクト壁の少なくとも１つは、内部に空気層を有する２層構造の壁体であり、２層構造の壁体の内部の空気層を複数のセルに分割する間仕切板と、２層構造の壁体のダクト内部に接する壁面にそれぞれのセルに対応して設けられた貫通穴と、を有した電子機器の消音装置が記載されている。この特許文献７では、複数のセルに分割されたそれぞれの空気層と貫通穴内の空間とによって、動作騒音が吸収される複数の小型共鳴器（ヘルムホルツ共鳴器）が形成されている。
【００１１】
特許文献８には、第１表面部と、第２表面部と、これら第１及び第２表面部の間の内部空間に配置される吸音材と、を備える消音体であって、第１及び第２表面部の少なくとも何れか一方は、一部が遮蔽部であると共に残部が非遮蔽部である消音体が記載されている。
【先行技術文献】
【特許文献】
【００１２】
【特許文献１】特許第４８２０１６３号公報
【特許文献２】特開２０１７−１０１５３０号公報
【特許文献３】特許第６０８４７７３号公報
【特許文献４】特開２０１６−０９５０７０号公報
【特許文献５】特開２００５−３４４９５６号公報
【特許文献６】米国特許第４８４２０９７号明細書
【特許文献７】特開２００７−０４７５６０号公報
【特許文献８】特開２０１７−０２１３８３号公報
【発明の概要】
【発明が解決しようとする課題】
【００１３】
ここで、例えば、住宅用の壁部分がコンクリート壁と化粧板とを有する場合には、住宅用の壁部分の厚みは、すなわち、コンクリート壁と化粧板との間の空間を含む、コンクリート壁と化粧板との合計厚みは、１７５ｍｍ〜４００ｍｍである。従って、通気スリーブの長さは１７５ｍｍ〜４００ｍｍである。この範囲の長さの通気スリーブで生じる共鳴の第一共鳴周波数は、３５５Ｈｚ〜７１０Ｈｚ程度の低い周波数である。
【００１４】
しかしながら、本発明者らの検討によれば、気柱共鳴型の消音器では、少なくとも共鳴周波数の波長の１／４の長さが必要となり巨大化する。また、ヘルムホルツ共鳴型の消音器においても、低周波になるほど空気ばねとなる空洞部を大きくする必要があり巨大化する傾向にある。従って、共鳴型の消音器を用いて、３５５Ｈｚ〜７１０Ｈｚ程度の低い周波数を消音する場合には、実用性が低くなるという問題があった。
【００１５】
また、特許文献１および２では、通気を保つために通気スリーブの外周に共鳴型の消音器を置くことが提案されている。しかしながら、本発明者らの検討によれば、共鳴型の消音器では、共鳴器の開口部で発生した風切り音が共鳴器によって増幅されてしまい、新たな騒音源となってしまうことがわかった。これは共鳴器では、入射音に対する位相反転による反射防音の寄与があるが、内部で発生した風切り音に対しては入射方向が定義できず、通気スリーブの両方向へ音を伝搬させてしまうためである。
【００１６】
また、特許文献１，２，４〜７に記載の共鳴型の消音器は、特定の周波数（周波数帯域）の音を選択的に消音するものである。通気スリーブの長さおよび形状等が異なると、通気スリーブの共鳴周波数も変わる。そのため、通気スリーブに合わせた設計が必要となり、汎用性が低いという問題があった。
【００１７】
さらに、本発明者らの検討によれば、通気スリーブ内で第一共鳴している場合に、この第一共鳴の周波数と同じ共鳴周波数を有する共鳴器を通気スリーブ内に配置すると、第一共鳴の周波数よりも低い周波数と、高い周波数との２つの周波数に透過音のピークが生じることがわかった。
【００１８】
共鳴が生じていない音場空間（非共鳴場（自由空間））に共鳴器を配置した場合には、共鳴器の共鳴周波数で強い消音を行うことができる（図３８参照）。
これに対して、共鳴が生じている音場空間（共鳴場）に、共鳴場の共鳴周波数と同じ共鳴周波数の共鳴器を配置した場合には、強い相互作用が働いて結合モードと反結合モードとの２つのモードに分離する現象が生じて、共鳴周波数の近傍の周波数に透過音のピークが２つ生じてしまう（図４参照）。
従って、通気スリーブ内で生じる第一共鳴の音に対する消音器として、共鳴型の消音器を用いる場合には、別の新たな透過音圧のピークを生成してしまうため、３５５Ｈｚ〜７１０Ｈｚ程度の低い周波数を消音することができない。
【００１９】
また、特許文献１、２、７に記載されるのは、外部で発生し、通気スリーブを通過する音を消音器（共鳴器）で消音することであり、通気スリーブ内で生じる第一共鳴の音を消音することは記載されていない。
また、特許文献６の音吸収装置は、壁面や天井などに設ける音吸収装置であり、壁に貫通して設けられる管状部材内に生じる音を消音するものではない。
【００２０】
また、特許文献３では、屋外側と屋内側とで換気口の位置が異なる消音容器を通気スリーブの端部に設置する構成であるため、全体としての流路長が長くなり通気性が低下するという問題があった。また、巨大な消音容器を配置する構成であるため、狭い空間には設置が難しいという問題があった。また、巨大な消音容器を配置する構成とした場合には、新たな共鳴ピークが生成されると推定される。巨大な消音容器を配置すると、音波伝搬距離が長くなり、全ての共鳴モードが低周波化するため３５５Ｈｚ〜７１０Ｈｚの周波数帯に高次の共鳴モードが発生してしまう。
【００２１】
また、特許文献８に記載の消音体は、吸音材を用いて消音を行うものであるが、吸音材が配置される空間の長さが気流流路（通気スリーブ）と同じ長さであるため、通気スリーブの第一共鳴と同じ周波数で共鳴が生じるおそれがある。
【００２２】
本発明の課題は、上記従来技術の問題点を解消し、３５５Ｈｚ〜７１０Ｈｚ程度の低い周波数を消音することができ、高い通気性と防音性能を両立することができ、また、風切り音の発生を抑制でき、また、通気スリーブに合わせた設計が不要で汎用性の高い防音システムを提供することを課題とする。
【課題を解決するための手段】
【００２３】
本発明者らは、上記課題を解決すべく鋭意検討した結果、壁を貫通して設置された通気スリーブに、消音器が配置された防音システムであって、消音器は、通気スリーブの外周部に形成された空洞部、および、空洞部と通気スリーブとを連通する開口部を有するケース部と、ケース部の空洞部内の少なくとも一部に、または、ケース部の開口部の少なくとも一部を覆う位置に配置される多孔質吸音材と、を有し、消音器の開口部は、防音システム内における通気スリーブの音場空間に接続されており、消音器を配置しない状態の通気スリーブが第一共鳴する音波の周波数をＦ1、波長をλとし、周波数Ｆ1における消音器内の実効音響伝搬長をαとすると、−１．８＜ｌｏｇ10（α／λ）＜１．３を満たすことにより、上記課題を解決できることを見出し、本発明を完成させた。
すなわち、以下の構成により上記課題を解決することができることを見出した。
【００２４】
［１］  壁を貫通して設置された通気スリーブに、消音器が配置された防音システムであって、
消音器は、通気スリーブの外周部に形成された空洞部、および、空洞部と通気スリーブとを連通する開口部を有するケース部と、ケース部の空洞部内の少なくとも一部に、または、ケース部の開口部の少なくとも一部を覆う位置に配置される多孔質吸音材と、を有し、
消音器の開口部は、防音システム内における通気スリーブの音場空間に接続されており、
消音器を配置しない状態の通気スリーブが第一共鳴する音波の周波数をＦ1、波長をλとし、周波数Ｆ1における消音器内の実効音響伝搬長をαとすると、
−１．８＜ｌｏｇ10（α／λ）＜１．３
を満たす防音システム。
［２〕  実効音響伝搬長αが、
−１．２＜ｌｏｇ10（α／λ）＜１．０
を満たす［１〕に記載の防音システム。
［３］  通気スリーブ内に生じる第一共鳴の周波数をＦ0とし、消音器の共鳴周波数をＦ1とすると、０．８５×Ｆ0＜Ｆ1＜１．１５×Ｆ0を満たす消音器を有さない［１］または［２］に記載の防音システム。
［４］  壁は室外と室内とを区切る壁であり、
壁の室内側に壁に平行に設けられた化粧板を有し、
通気スリーブは壁および化粧板を貫通するように設けられており、
消音器は、壁と、化粧板との間に配置されている［１］〜［３］のいずれかに記載の防音システム。
［５］  壁と化粧板との間の空間を含む、壁と化粧板との合計厚みが、１７５ｍｍ〜４００ｍｍである［４］に記載の防音システム。
［６］  多孔質吸音材の流れ抵抗σ1［Ｐａ・ｓ／ｍ2］は、
０＜ｌｏｇ（σ1）＜５．５
を満たす［１］〜［５］のいずれかに記載の防音システム。
［７］  ケース部の空洞部の幅Ｌ1は、
０．０１×λ≦Ｌ1≦３００ｍｍ
を満たす［１］〜［６］のいずれかに記載の防音システム。
［８］  ケース部の空洞部の深さＬ2は、
０．０２５×λｍｍ≦Ｌ2≦１７５ｍｍ
を満たす［１］〜［７］のいずれかに記載の防音システム。
［９］  通気スリーブの平均内径が７０ｍｍ〜１６０ｍｍである［１］〜［８］のいずれかに記載の防音システム。
［１０］  通気スリーブの端部に設置されるカバー部材を有する［１］〜［９］のいずれかに記載の防音システム。
［１１］  通気スリーブの端部に設置される風量調整部材を有する［１］〜［１０］のいずれかに記載の防音システム。
【発明の効果】
【００２５】
本発明によれば、３５５Ｈｚ〜７１０Ｈｚ程度の低い周波数を消音することができ、高い通気性と防音性能を両立することができ、また、風切り音の発生を抑制でき、また、通気スリーブに合わせた設計が不要で汎用性の高い防音システムを提供することができる。
【図面の簡単な説明】
【００２６】
【図１】本発明の防音システムの一例を概念的に示す断面図である。
【図２】図１のＢ−Ｂ線断面図である。
【図３】シミュレーションの方法を説明するための図である。
【図４】周波数と透過音圧強度との関係を表すグラフである。
【図５】比較例の計算モデルの評価方法を説明するための概念図である。
【図６】図６のＤ−Ｄ線断面図である。
【図７】周波数と透過音圧強度との関係を表すグラフである。
【図８】比較例の構成を説明するための模式的な側面図である。
【図９】周波数と透過音圧強度との関係を表すグラフである。
【図１０】流れ抵抗とｌｏｇ（α／λ）との関係を表すグラフである。
【図１１】周波数とｌｏｇ（α／λ）との関係を表すグラフである。
【図１２】周波数と透過音圧強度との関係を表すグラフである。
【図１３】ｌｏｇ（α／λ）と透過音圧強度との関係を表すグラフである。
【図１４】ｌｏｇ（α／λ）と透過音圧強度との関係を表すグラフである。
【図１５】周波数と空洞部の深さＬ2と透過音圧強度との関係を表すグラフである。
【図１６】周波数と空洞部の深さＬ2と透過音圧強度との関係を表すグラフである。
【図１７】周波数と流れ抵抗と透過音圧強度との関係を表すグラフである。
【図１８】周波数と透過音圧強度との関係を表すグラフである。
【図１９】流れ抵抗と透過音圧強度の最大値との関係を表すグラフである。
【図２０】Ｌ1／λとＬ2／λと５００Ｈｚバンドの透過損失との関係を表すグラフである。
【図２１】Ｌ1／λと５００Ｈｚバンドの透過損失との関係を表すグラフである。
【図２２】Ｌ2／λと５００Ｈｚバンドの透過損失との関係を表すグラフである。
【図２３】本発明の防音システムの他の一例を概念的に示す断面図である。
【図２４】図２３のＣ−Ｃ線断面図である。
【図２５】本発明の防音システムの他の一例を概念的に示す断面図である。
【図２６】図２５のＥ−Ｅ線断面図である。
【図２７】実施例における透過音圧の測定方法を説明するための図である。
【図２８】周波数と透過音圧強度との関係を表すグラフである。
【図２９】空洞部の深さＬ2と５００Ｈｚバンドの透過損失との関係を表すグラフである。
【図３０】Ｌ1／λとＬ2／λと透過損失との関係を表すグラフである。
【図３１】本発明の防音システムの他の一例を概念的に示す断面図である。
【図３２】本発明の防音システムの他の一例を概念的に示す断面図である。
【図３３】本発明の防音システムの他の一例を概念的に示す断面図である。
【図３４】本発明の防音システムの他の一例を概念的に示す断面図である。
【図３５】本発明の防音システムの他の一例を概念的に示す断面図である。
【図３６】通気スリーブ周辺の位置と音圧レベルとの関係をシミュレーションした結果を模式的に表す図である。
【図３７】開口端中央からの距離と音圧レベルとの関係を表すグラフである。
【図３８】周波数と透過音圧強度との関係を表すグラフである。
【発明を実施するための形態】
【００２７】
以下、本発明について詳細に説明する。
以下に記載する構成要件の説明は、本発明の代表的な実施態様に基づいてなされるが、本発明はそのような実施態様に限定されるものではない。
なお、本明細書において、「〜」を用いて表される数値範囲は、「〜」の前後に記載される数値を下限値および上限値として含む範囲を意味する。
また、本明細書において、「直交」および「平行」とは、本発明が属する技術分野において許容される誤差の範囲を含むものとする。例えば、「直交」および「平行」とは、厳密な直交あるいは平行に対して±１０°未満の範囲内であることなどを意味し、厳密な直交あるいは平行に対しての誤差は、５°以下であることが好ましく、３°以下であることがより好ましい。
本明細書において、「同一」、「同じ」は、技術分野で一般的に許容される誤差範囲を含むものとする。また、本明細書において、「全部」、「いずれも」または「全面」などというとき、１００％である場合のほか、技術分野で一般的に許容される誤差範囲を含み、例えば９９％以上、９５％以上、または９０％以上である場合を含むものとする。
【００２８】
［防音システム］
本発明の防音システムの構成について、図面を用いて説明する。
図１は、本発明の防音システムの好適な実施態様の一例を示す模式的な断面図である。図２は、図１のＢ−Ｂ線断面図である。
【００２９】
図１に示すように、防音システム１０は、２つの空間を隔てる壁１６を貫通して設けられる、円筒状の通気スリーブ１２の外周部に消音器２２が配置された構成を有する。消音器２２は、通気スリーブ１２内で第一共鳴する音波の周波数を含む周波数の音を消音するものである。
図１に示す例では、防音システム１０は、壁１６と、壁１６から所定距離離間して、壁１６に平行に設けられた化粧板４０と、壁１６および化粧板４０を貫通する通気スリーブ１２と、壁１６と化粧板４０の間の空間の通気スリーブ１２の外周部に配置される消音器２２とを有する。
【００３０】
通気スリーブ１２は、例えば、換気口および空調用ダクト等の通気スリーブである。
なお、通気スリーブ１２は、換気口および空調用ダクト等に限定はされず、各種機器に用いられる一般的なダクトであってもよい。
中でも、マンションのような住宅の壁は、例えば、コンクリート壁、石膏ボード、断熱材、化粧板、および、壁紙等を有して構成されており、これらを貫通して通気スリーブが設けられている。本発明の防音システムは、このような壁の通気スリーブに好適に適用することができる。図１に示す例では、本発明における壁１６はコンクリート壁に相当する。
【００３１】
なお、通気スリーブの断面形状は円形状に限定はされず、四角形状、三角形状等の種々の形状であってもよい。また、通気スリーブの中心軸の軸方向において、通気スリーブの断面形状は一定でなくてもよい。すなわち、軸方向において、通気スリーブの直径が変化していてもよい。
また、住宅用の通気スリーブの場合には、通気スリーブの直径（円相当直径）は７０ｍｍ〜１６０ｍｍ程度である。また、軸方向において、通気スリーブの直径が変化する場合には、通気スリーブの平均内径（加重平均）が７０ｍｍ〜１６０ｍｍ程度であればよい。
なお、通気スリーブの内径は、分解能を１ｍｍとして測定する。スリーブの断面形状が、円形ではない場合は、その面積を円相当面積として直径に換算して内径を求める。１ｍｍ未満の凹凸等の微細構造を有する場合には、これを平均化する。
【００３２】
消音器２２は、空洞部３０、および、空洞部３０と通気スリーブ１２内とを連通する開口部３２を有するケース部２６、ならびに、ケース部２６の空洞部３０内に配置される多孔質吸音材２４を有する。
図１および図２に示すように、ケース部２６は、通気スリーブ１２の外周部の周方向の全周に開口部３２および空洞部３０を有する。すなわち、防音システム１０では、通気スリーブ１２の軸方向において、消音器２２の位置で通気スリーブ１２の直径よりも大きな径となっている。
ケース部２６の開口部３２が通気スリーブ１２内と連通することによって、防音システム１０における通気スリーブ１２内に生じる第一共鳴の音場空間に開口部３２が接続している。
なお、通気スリーブ１２の第一共鳴の音場空間は、通気スリーブ１２内、および、通気スリーブ１２の開口端からしみ出る音響近接場の領域である。開口端からしみ出る音響近接場の領域は、通気スリーブ１２の開口端中央の音圧レベルより２０ｄＢ小さい音圧レベルの領域までとする。音響近接場の領域は、通気スリーブの断面積からシミュレーションにより求めることができる。図３６は、通気スリーブ１２内で共鳴が生じている状態における、通気スリーブ１２内およびその周辺の空間の音圧レベルのシミュレーション結果を模式的に表す図である。図３６に示すように、通気スリーブの開口端の外側でも音圧レベルが高い空間が存在する。この音圧レベルが高い空間が音響近接場の領域である。図３７に示すように、この音圧レベルは開口端中央位置からの距離に依存している。従って、上記のとおり、通気スリーブ１２の開口端中央の音圧レベルより２０ｄＢ小さい音圧レベルの領域までを音響近接場の領域（音場空間）とする。
【００３３】
ここで、図２に示す例では、消音器２２のケース部２６（空洞部３０）は通気スリーブ１２の外周面の全周に沿った略環状としたが、これに限定はされず、空洞部を有する各種の立体形状であればよい。例えば、半環形状であってもよいし、後述する図６に示すような、直方体形状であってもよい。
【００３４】
多孔質吸音材２４は、ケース部２６の空洞部３０内の全体に配置されている。従って、多孔質吸音材２４は、円環形状である。
周知のとおり、多孔質吸音材は、内部を通過する音の音エネルギーを熱エネルギーに変換することで吸音するものである。
【００３５】
多孔質吸音材２４としては、特に限定はなく、従来公知の吸音材が適宜利用可能である。例えば、発泡ウレタン、軟質ウレタンフォーム、木材、セラミックス粒子焼結材、フェノールフォーム等の発泡材料および微小な空気を含む材料；グラスウール、ロックウール、マイクロファイバー（３Ｍ社製シンサレートなど）、フロアマット、絨毯、メルトブローン不織布、金属不織布、ポリエステル不織布、金属ウール、フェルト、インシュレーションボードおよびガラス不織布等のファイバーおよび不織布類材料；木毛セメント板；シリカナノファイバーなどのナノファイバー系材料；石膏ボード；種々の公知の吸音材が利用可能である。
【００３６】
なお、図１および図２に示す例では、多孔質吸音材２４はケース部２６の空洞部３０内の全体に配置される構成としたが、これに限定はされず、空洞部３０内の少なくとも一部に配置される構成とすればよい。あるいは、多孔質吸音材２４は消音器２２の開口部３２の少なくとも一部を覆うように配置される構成としてもよい。
【００３７】
ここで、本発明の防音システムは、通気スリーブが第一共鳴する音波の周波数をＦ1、波長をλとし、消音器内の周波数Ｆ1における実効音響伝搬長をαとすると、
−１．８＜ｌｏｇ10（α／λ）＜１．３
を満たす。
なお、上記式において、ｌｏｇは常用対数である。
また、周波数Ｆ1における消音器内の実効音響伝搬長とは、多孔質吸音材が配置された状態で空洞部内を周波数Ｆ1の音が伝搬すると考えた場合の実効音響伝搬長である。
【００３８】
多孔質吸音材内における実効音響伝搬長α0は、
α0＝１／Ｒｅ［γ］
で求められる。ただし、γは伝搬定数である。また、Ｒｅ［γ］は、伝搬定数の実部を意味する。
音響材料の伝搬定数は、音響管と２本のマイクを用いた伝達関数法による測定を行うことで求めることができる。この手法はJIS A1405-2、ISO 10534-2、ASTM E 1050の規格に従うものである。
音響管としては、例えば日東紡音響エンジニアリング株式会社製のＷｉｎＺａｃと同一の測定原理であるものを用いることができる。この方法で広いスペクトル帯域において伝搬定数を測定することができる。
消音器内の実効音響伝搬長αは、多孔質吸音材がケース部の空洞部内全体に充填される場合は、多孔質吸音材の実効音響伝搬長α0と一致する。また、多孔質吸音材がケース部の空洞部内の一部に充填される場合は、多孔質吸音材の実効音響伝搬長α0と多孔質吸音材が配置されていない空間の長さとの合計が消音器内の実効音響伝搬長αとなる。なお、以下の説明においては、基本的に多孔質吸音材がケース部の空洞部内全体に充填される構成として説明を行なっている。従って、多孔質吸音材の実効音響伝搬長α0と消音器内の実効音響伝搬長αとを区別せずに説明する場合がある。
【００３９】
ここで、本発明において、消音器２２は、通気スリーブ１２が第一共鳴する音波の周波数の音に対して気柱共鳴、ヘルムホルツ共鳴、および、膜振動による共鳴をしないものである。
周知のとおり、気柱共鳴器は、剛体で囲まれた空洞部、および、空洞部と外部と連通する開口部を有し、音波の波長をλとすると、空洞部の長さが（２ｎ＋１）×λ／４＋（開口端補正長）の長さの場合にこの音波に対して共鳴する共鳴体である。
ヘルムホルツ共鳴器は、剛体で囲まれた空洞部、および、空洞部と外部とを連通する開口部を有し、空洞部の空気をバネ定数ｋのバネとし、開口部に位置する空気を質量ｍの重りとして、（１／（２π））×（ｋ／ｍ）0.5の周波数で共鳴を起こす共鳴体である。
膜型共鳴器は、膜、および、膜の一部を振動可能に支持する枠を有し、膜の、枠に固定された部分を節として膜が振動する共鳴体である。
【００４０】
本発明における消音器２２は、通気スリーブ１２が第一共鳴する音波の周波数の音に対して、上記の気柱共鳴、ヘルムホルツ共鳴、および、膜型共鳴をしない構成を有する。なお、以下の説明においては、消音器が、通気スリーブ１２が第一共鳴する音波の周波数の音に対して、気柱共鳴、ヘルムホルツ共鳴、および、膜型共鳴をしないことをまとめて、単に「消音器が共鳴しない」ともいう。
【００４１】
気柱共鳴しない観点から、通気スリーブ１２の軸方向（以下、単に軸方向ともいう）における消音器２２の空洞部３０の幅をＬ1とし、通気スリーブ１２の径方向（以下、単に径方向ともいう）における消音器２２の空洞部３０の深さをＬ2とし、消音器を配置しない状態の防音システム１０において通気スリーブ１２内に生じる第一共鳴の共鳴周波数における音波の波長をλとすると、消音器２２の空洞部３０の幅Ｌ1は、
Ｌ1＜０．５×λ
を満たし、消音器２２の空洞部３０の深さＬ2は、
Ｌ2＜０．２５×λ
を満たす。すなわち、空洞部３０の幅Ｌ1は、λ／２よりも小さく、また、空洞部３０の深さＬ2は、λ／４よりも小さい。従って、消音器２２は、気柱共鳴によって消音するものではない。
なお、位置によって空洞部３０の深さが異なる場合には、空洞部３０の深さＬ2は、各位置での深さの平均値である。
また、位置によって開口部３２の幅が異なる場合には、開口部３２の幅Ｌ１は、各位置での幅の平均値である。
なお、幅Ｌ1、深さＬ2は分解能を１ｍｍとして測定すればよい。すなわち、１ｍｍ未満の凹凸等の微細構造を有する場合には、これを平均化して幅Ｌ1、深さＬ2を求めればよい。
【００４２】
ヘルムホルツ共鳴については、複雑で無数の構造や組み合わせが可能であり、例えば、空洞部の体積をそれぞれ同一としても、空洞部内の構造を変えることによって異なる共鳴周波数とすることができる。そのため、通気スリーブが第一共鳴する音波の周波数でヘルムホルツ共鳴しない構造を規定することは困難である。しかしながら、シミュレーションによって、ある構造の消音器がヘルムホルツ共鳴する周波数を求めることができるため、通気スリーブが第一共鳴する音波の周波数でヘルムホルツ共鳴するか否かを容易に判別することができる。
【００４３】
また、後述するように、本発明における共鳴器２２は、開口部３２を覆う防風用フィルム４４を有する構成であってもよい。防風用フィルム４４を有する構成の場合には、防風用フィルム４４が膜として膜振動可能な状態で消音器２２に支持される構成となる。しかしながら、本発明においては、防風用フィルム４４を有する構成であっても、通気スリーブ１２が第一共鳴する音波の周波数の音に対して膜振動による共鳴をしない。
防風用フィルム４４を有する場合に、通気スリーブ１２が第一共鳴する音波の周波数の音に対して膜振動による共鳴をしない構成とするためには、消音器２２の開口部３２の大きさ、空洞部３０の体積等に応じて、防風用フィルム４４の材質、厚み等を適宜設定すればよい。
【００４４】
ここで、住宅用の壁の厚みは、すなわち、コンクリート壁と化粧板との間の空間を含む、コンクリート壁と化粧板との合計厚み（以下、壁と化粧板との合計厚みともいう）は、１７５ｍｍ〜４００ｍｍ程度である。従って、通気スリーブの長さは１７５ｍｍ〜４００ｍｍである。この範囲の長さの通気スリーブで生じる共鳴の第一共鳴周波数は、３５５Ｈｚ〜７１０Ｈｚ（以下、５００Ｈｚバンドともいう）程度である。
５００Ｈｚバンドの低い周波数帯の音を、ウレタン、ポリエチレン等からなる多孔質吸音材で吸音するためには、体積を大きくするが必要であるが、通気性を確保する必要があるため、高い通気性と防音性能とを両立することが難しいという問題があった。
【００４５】
また、共鳴型の消音器を用いることも提案されているが、気柱共鳴型の消音器では、少なくとも共鳴周波数の波長の１／４の長さが必要となり巨大化する。また、ヘルムホルツ共鳴型の消音器においても、低周波になるほど空気ばねとなる空洞部を大きくする必要があり巨大化する傾向にある。従って、共鳴型の消音器を用いて、３５５Ｈｚ〜７１０Ｈｚ程度の低い周波数を消音する場合には、実用性が低くなるという問題があった。
また、本発明者らの検討によると、共鳴型の消音器では、共鳴器の開口部で発生した風切り音が共鳴器によって増幅されてしまい、新たな騒音源となってしまうことがわかった。これは共鳴器では、入射音に対する位相反転による反射防音の寄与があるが、内部で発生した風切り音に対しては入射方向が定義できず、通気スリーブの両方向へ音を伝搬させてしまうためである。
また、共鳴型の消音器は、特定の周波数（周波数帯域）の音を選択的に消音するものである。そのため、通気スリーブの共鳴周波数に合わせた設計が必要となり、汎用性が低いという問題があった。
【００４６】
さらに、本発明者らの検討によれば、通気スリーブ内で第一共鳴している場合に、この第一共鳴の周波数と同じ共鳴周波数を有する共鳴器を通気スリーブ内に配置すると、第一共鳴の周波数よりも低い周波数と、高い周波数との２つの周波数に透過音のピークが生じることがわかった。
【００４７】
共鳴が生じていない音場空間（非共鳴場（自由空間））に共鳴器を配置した場合には、共鳴器の共鳴周波数で強い消音を行うことができる（図３８参照）。
これに対して、共鳴が生じている音場空間（共鳴場）に、共鳴場の共鳴周波数と同じ共鳴周波数の共鳴器を配置した場合には、強い相互作用が働いて結合モードと反結合モードとの２つのモードに分離する現象が生じて、共鳴周波数の近傍の周波数に透過音のピークが２つ生じてしまう（図４参照）。
従って、通気スリーブ内で生じる第一共鳴の音に対する消音器として、共鳴型の消音器を用いる場合には、別の新たな透過音圧のピークを生成してしまうため、３５５Ｈｚ〜７１０Ｈｚ程度の低い周波数を消音することができない。
この点は後にシミュレーション結果を用いて説明する。
【００４８】
これに対して、本発明の防音システムは、消音器が、通気スリーブの外周部に形成された空洞部および空洞部と通気スリーブとを連通する開口部を有するケース部と、ケース部の空洞部内の少なくとも一部に、または、ケース部の開口部の少なくとも一部を覆う位置に配置される多孔質吸音材とを有し、消音器の開口部は、防音システム内における通気スリーブの音場空間に接続されており、通気スリーブが第一共鳴する音波の周波数をＦ1、波長をλとし、周波数Ｆ1における消音器内の実効音響伝搬長をαとすると、−１．８＜ｌｏｇ10（α／λ）＜１．３を満たす構成とする。本発明の防音システムは、このような構成とすることで、消音器内を伝搬する音波の実効音響伝搬長を短くして、消音器内で共鳴が生じるのを抑制しつつ、多孔質吸音材で吸音することで、５００Ｈｚバンドの低い周波数の騒音を消音することができる。
また、この消音の原理は消音器の共鳴は用いないので、空洞部３０の幅Ｌ1および深さＬ2が通気スリーブ１２の第一共鳴の共鳴周波数における波長λの１／４よりも小さくても、高い防音性能を発現することができる。従って、消音器２２を小型化して通気スリーブ１２の通気性を維持しつつ、高い防音性能を得ることができる。
【００４９】
また、この消音の原理は消音器の共鳴は用いないので、防音性能の波長依存性が小さく、通気スリーブ１２の長さおよび形状等が異なる場合でも、防音性能を発現することができ、通気スリーブ１２に合わせた設計が不要であり汎用性が高い。
また、この消音の原理は共鳴を利用しないので、風切り音を増幅することがない。
なお、壁と化粧板との合計厚みは、壁の外側の端から化粧板の室内側の端までの厚みを、分解能を１ｍｍとして測定する。すなわち、１ｍｍ未満の凹凸等の微細構造を有する場合には、これを平均化して厚みを求めればよい。
【００５０】
以下、本発明の防音システムの作用について、シミュレーションを用いて説明する。
シミュレーションは、有限要素法計算ソフトCOMSOL ver5.3（ＣＯＭＳＯＬ社）の音響モジュールを用いた。
図３に示すように、シミュレーションにおいて通気スリーブの直径は１００ｍｍとし、壁の厚みは１００ｍｍとし、化粧板の厚みは１０ｍｍとし、壁と化粧板との間の距離は１４０ｍｍとした。すなわち、壁と化粧板との合計厚みは、２５０ｍｍとした。
【００５１】
このようなシミュレーションモデルを用いて、図３に示すように、壁で仕切られた一方の空間の半球状の面から音波を入射させ、他方の空間の半球状の面に到達する音波の単位体積あたりの振幅を求めた。半球状の面は、通気スリーブの開口面の中心位置を中心とした半径５００ｍｍの半球状の面である。入射させる音波は単位体積あたりの振幅を１とした。
また、音波検出面側の通気スリーブの端面から３２ｍｍの位置には、レジスター（直径１０２ｍｍ）の蓋が配置されるものとしてモデル化した。
【００５２】
まず、リファレンスとして、消音器を配置しない場合（以下、ストレート管の場合ともいう）について計算を行なった。
図４に、シミュレーションの結果を、周波数と透過音圧強度との関係のグラフとして示す。
図４から、消音器を配置しない場合（ストレート管の場合）の通気スリーブ１２の第一共鳴の周波数Ｆ1は、５１５Ｈｚ程度であることがわかる。
【００５３】
次に、共鳴周波数が５１５Ｈｚ程度となる気柱共鳴型の消音器を設計した。
図５および図６に示すように、長さ１０００ｍｍ、直径１００ｍｍの音響管の外周部に気柱共鳴型の消音器が接続されたモデルを作成して、気柱共鳴型消音器の基本的な音響特性を評価した。音響管の一方の端面から平面波を入射させ他方の端面に到達する音波の単位体積あたりの振幅を求めた。入射させる音波は単位体積あたりの振幅を１とした。検出面上における音圧振幅の積分値を、入射面上における音圧振幅の積分値で割った値を２乗したものを、透過音圧強度とした。
【００５４】
気柱共鳴型消音器の長手方向の一方の面が開口して音響管に接続されている。また、音響管の軸方向における、気柱共鳴型消音器の位置は略中央位置とした。
気柱共鳴型消音器は、断面の大きさが４５ｍｍ×４５ｍｍの直方体形状とし、長さを種々変更して、周波数と透過音圧強度との関係を計算して共鳴周波数を求めた。その結果、図７に計算例１として示すように、長さ１５０ｍｍで共鳴周波数が５１５Ｈｚ程度となることがわかった。
【００５５】
次に、図８に示すように、この気柱共鳴型消音器を有する消音器をモデル化して、通気スリーブに接続したモデルを作成し、上記と同様に、壁で仕切られた一方の空間の半球状の面から音波を入射させ、他方の空間の半球状の面に到達する音波の単位体積あたりの振幅を求めた。すなわち、共鳴が生じている音場空間（共鳴場）に、共鳴場の共鳴周波数と同じ共鳴周波数の共鳴器を配置した場合のシミュレーションを行った。図８の気柱共鳴型消音器の位置での断面図は図６と同様である。
図６および図８に示すように、気柱共鳴型の消音器のモデルは、４５ｍｍ×４５ｍｍの角柱状で長さ（深さ）が１５０ｍｍの気柱共鳴管を側面に２つ有し、通気スリーブと同じ直径（１００ｍｍ）の管状の消音器を通気スリーブの端部に配置する構成とした。通気スリーブの軸方向の長さは１３０ｍｍ、消音器の管状部の軸方向の長さは１２０ｍｍとした。気柱共鳴管の軸方向の位置は通気スリーブ側の端面から５ｍｍの位置とした。
図４に、シミュレーションの結果を、周波数と透過音圧強度との関係のグラフとして示す（比較例１）。また、図９に、実験の結果を、周波数と透過音圧強度との関係のグラフとして示す。
実験は、上述した形状及び寸法の消音器を厚み５ｍｍアクリル板を用いて作製し、後述する簡易小型防音室を用いて、実施例と同様の方法で周波数と透過音圧強度との関係を測定した。
【００５６】
図４および図９に比較例１として示すように、共鳴型の消音器を通気スリーブに配置した場合には、共鳴型の消音器を配置しない場合（リファレンス）の通気スリーブの第一共鳴周波数の両側に、透過音圧強度のピークが生じていることがわかる。すなわち、共鳴型の消音器を配置しない場合の第一共鳴周波数よりも低い周波数と、高い周波数との２つの周波数にピークが生じている。これは、共鳴を生じる通気スリーブの音場空間内に、共鳴型の消音器を配置することで、強い相互作用が働いて結合モードと反結合モードとの２つのモードに分離する現象によるものである。
その結果、通気スリーブの第一共鳴周波数の音は消音できるものの、新たに生じた２つのピークの周波数は、５００Ｈｚバンド内に存在する。
このように、通気スリーブに対する消音器として、共鳴型の消音器を用いる場合には、別の新たな透過音圧強度のピークを生成してしまうため、５００Ｈｚバンドの音を十分に消音することはできない。
【００５７】
ここで、共鳴型の消音器を１次元の自由空間に配置した場合のシミュレーションを行なった。すなわち、無限に長いダクト内を平面波が１方向に伝搬し、共鳴が生じていない音場空間（非共鳴場（自由空間））に共鳴器を配置した場合についてシミュレーションを行った。
音源は５００Ｈｚおよび１０００Ｈｚ付近で音圧がピークとなる音を発生するものとして、５００Ｈｚ付近の周波数で共鳴する共鳴器を配置した場合の透過音圧を算出した。共鳴器は図６および図８に示す共鳴型の消音器のモデルとした。
結果を図３８に示す。また、図３８には共鳴器を配置しない場合のシミュレーション結果も示す。
【００５８】
図３８から、共鳴器を非共鳴場に配置した場合には、共鳴器の共鳴周波数の音圧を低減でき、また、他の周波数に新たなピークが発生しないことがわかる。
以上の結果から、共鳴器を用いて消音を行う場合、共鳴が生じていない非共鳴場であれば、共鳴器を用いて特定音の消音を適切に行うことが可能であるが、通気スリーブのように、共鳴が生じている共鳴場では、共鳴周波数の近傍の周波数に、別の新たな透過音圧のピークを生成してしまうため適切な消音することができないことがわかる。
【００５９】
次に、上記気柱共鳴型消音器と同じサイズのケース部と、ケース部内に配置される多孔質吸音材とを有する消音器を通気スリーブの外周面に接続した構成をモデル化して、周波数Ｆ1における消音器内の実効音響伝搬長を種々変更して上記と同様にして計算を行なった。
なお、シミュレーションにおいて、周波数Ｆ1における消音器内の実効音響伝搬長は、多孔質吸音材の流れ抵抗を調整することで変更した。実効音響伝搬長α0と流れ抵抗σとの関係は、
【数１】
2020024354.tif 000003
である。
なお、ｃは空気中の音波の速度である。
一例として、周波数Ｆ1が５１５Ｈｚの場合の、流れ抵抗σとｌｏｇ10（α／λ）との関係を表すグラフを図１０に示す。流れ抵抗σが１２［Pa・s/m2］であると、ｌｏｇ10（α／λ）が１となり、流れ抵抗が５１２［Pa・s/m2］であるとｌｏｇ10（α／λ）が０となり、流れ抵抗が２１０００［Pa・s/m2］であるとｌｏｇ（α／λ）が−１となる。
図１１に、シミュレーションの結果を、周波数と、実効音響伝搬長α／第一共鳴の波長λのｌｏｇ値（グラフでは「ｌｏｇ（α／λ）」と記載する）と、透過音圧強度との関係のグラフとして示す。また、図１２には、実効音響伝搬長α／第一共鳴の波長λのｌｏｇ値が−０．４４の場合（実施例１とする）の、周波数と透過音圧強度との関係を表すグラフを示す。実施例１は、流れ抵抗が２５６０［Pa・s/m2］、実効音響伝搬長が２４９ｍｍである。
【００６０】
図１１から、消音器内の実効音響伝搬長が短い範囲（ｌｏｇ（α／λ）が小さい範囲）では、通気スリーブの第一共鳴の周波数Ｆ1で透過音圧強度が高くなっていることがわかる。また、消音器内の実効音響伝搬長が長い範囲（ｌｏｇ（α／λ）が大きい範囲）では、通気スリーブの第一共鳴の周波数Ｆ1よりも小さい周波数と大きい周波数で透過音圧強度が高くなっていることがわかる。
消音器内の実効音響伝搬長が短い範囲では、消音器内での共鳴が生じないため、通気スリーブの第一共鳴の影響によって、周波数Ｆ1のみに透過音圧強度のピークが発生するものである。一方、消音器内の実効音響伝搬長が長い範囲では、消音器内での共鳴が生じるため、通気スリーブの共鳴と消音器の共鳴との相互作用によって２つのモードに分離する。そのため、２つの透過音圧強度のピークが発生する。
【００６１】
ここで、図１３に、周波数５１５Ｈｚにおける、実効音響伝搬長α／第一共鳴の波長λのｌｏｇ値（ｌｏｇ（α／λ））と、透過音圧強度との関係をグラフとして示す。また、図１４に、周波数３４５Ｈｚにおける、実効音響伝搬長α／第一共鳴の波長λのｌｏｇ値（ｌｏｇ（α／λ））と、透過音圧強度との関係のグラフとして示す。すなわち、図１３は、図１１の周波数５１５Ｈｚの断面であり、図１４は、図１１の周波数３４５Ｈｚの断面である。
【００６２】
図１３から、実効音響伝搬長が短くなりすぎると５１５Ｈｚでの、すなわち、通気スリーブの第一共鳴の周波数近傍における透過音圧強度が高くなることがわかる。これは、実効音響伝搬長が短くなりすぎると、多孔質吸音材の流れ抵抗が小さくなるため、多孔質吸音材による吸音の効果が低下するためである。図１３からｌｏｇ（α／λ）は、−１．８より大きい必要がある。
【００６３】
図１４から、実効音響伝搬長が長くなりすぎると３４５Ｈｚでの透過音圧強度が高くなることがわかる。これは、実効音響伝搬長が長くなりすぎる場合は、消音器内で共鳴が発生して、通気スリーブの共鳴との相互作用が生じてしまうためである。図１４からｌｏｇ（λ／α）は、１．３未満である必要がある。
【００６４】
防音性能の観点から、−１．２≦ｌｏｇ（α／λ）≦１．０が好ましく、−１．０≦ｌｏｇ（α／λ）≦０．７がより好ましく、−０．７≦ｌｏｇ（α／λ）≦０．５がさらに好ましく、−０．７≦ｌｏｇ（α／λ）≦０．１２が特に好ましい。
【００６５】
多孔質吸音材２４の厚みは空洞部３０内あるいは開口部近傍に配置可能であれば限定はない。吸音性能等の観点から、多孔質吸音材２４の厚みは０．０１ｍｍ〜５００ｍｍが好ましく、０．１ｍｍ〜１００ｍｍがより好ましい。
【００６６】
多孔質吸音材２４は、単位厚さ当たりの流れ抵抗σ1［Pa・s/m2］が、０＜ｌｏｇ（σ1）＜５．５を満たすことが好ましく、２＜ｌｏｇ（σ1）＜５．２を満たすことがより好ましく、３＜ｌｏｇ（σ1）＜５．０を満たすことがさらに好ましい。
なお、上記式において、ｌｏｇは常用対数である。多孔質吸音材の流れ抵抗は、１ｃｍ厚の多孔質吸音材の垂直入射吸音率を測定し、Ｍｉｋｉモデル（Ｊ．  Ａｃｏｕｓｔ．  Ｓｏｃ．  Ｊｐｎ．，  １１（１）  ｐｐ．１９−２４  （１９９０））でフィッティングすることで評価することができる。または「ＩＳＯ  ９０５３」に従って評価してもよい。
【００６７】
以下、多孔質吸音材の流れ抵抗について、シミュレーション結果を用いて詳細に説明する。
図３に示すシミュレーションモデルにおいて、消音器のケース部は、通気スリーブの全周に形成されているものとした。通気スリーブの軸方向における空洞部の幅Ｌ1は１０６ｍｍとした。空洞部内の流れ抵抗２００［Pa・s/m2］として多孔質吸音材をモデル化した場合と、１００００［Pa・s/m2］として多孔質吸音材をモデル化した場合とで、計算を行なった。
図１５に、流れ抵抗２００［Pa・s/m2］の場合のシミュレーション結果を、周波数と空洞部の深さＬ2と透過音圧強度との関係を表すグラフとして示す。また、図１６に、流れ抵抗１００００［Pa・s/m2］の場合のシミュレーション結果を、周波数と空洞部の深さＬ2と透過音圧強度との関係を表すグラフとして示す。
【００６８】
図１５および図１６の対比から、多孔質吸音材の流れ抵抗が大きいほど透過音圧強度が低くなっていることがわかる。
【００６９】
次に、ケース部の空洞部の幅Ｌ1を１１０ｍｍとし、深さＬ2を５０ｍｍとし、空洞部内の流れ抵抗を種々変更してシミュレーションを行った。
図１７に、シミュレーションの結果を、周波数と流れ抵抗のｌｏｇ値と透過音圧強度との関係のグラフとして示す。
また、図１８には、空洞部内の流れ抵抗のｌｏｇ値が１の場合、３．４の場合、および、５．８の場合の、周波数と透過音圧強度との関係を表すグラフを示す。
また、図１９には、流れ抵抗のｌｏｇ値と、５００Ｈｚバンド内における透過音圧強度の最大値との関係を表すグラフを示す。
【００７０】
図１７〜図１９から、流れ抵抗が低い領域では、空洞部内の流れ抵抗を大きくするほど、透過音圧強度が低くなることがわかる。一方で、流れ抵抗を大きくしすぎると、音が多孔質吸音材内に、すなわち、消音器の空洞部内に浸入することができなくなり、ストレート管に近づくため、５００Ｈｚバンドにある、ストレート管の第一共鳴のピークが発生することがわかる。
図１９から、流れ抵抗のｌｏｇ値（ｌｏｇ（σ1））は、５．５未満が好ましく、５．２未満がより好ましく、５．０未満がさらに好ましいことがわかる。
【００７１】
ここで、通気スリーブ１２内に生じる第一共鳴の周波数をＦ0とし、多孔質吸音材を有さない消音器２２、すなわち、空洞部３０と開口部３２とを有するケース部２６内に生じる共鳴周波数をＦ1とすると、１．１５×Ｆ0＜Ｆ1を満たすことが好ましい。通気スリーブ１２内に生じる第一共鳴の周波数Ｆ0と、ケース部２６の共鳴周波数Ｆ1との関係を上記範囲とすることで、ケース部２６の共鳴周波数Ｆ1において通気スリーブ１２内に生じる第一共鳴の透過音圧強度がピーク値に対して２５％以下となるため、通気スリーブ１２内に生じる第一共鳴と消音器の共鳴との相互作用が小さくなる。
ケース部２６の共鳴周波数Ｆ1において通気スリーブ１２内に生じる第一共鳴の透過音圧強度をより小さくして相互作用をより小さくできる観点から、通気スリーブ１２内に生じる第一共鳴の周波数Ｆ0と、ケース部２６の共鳴周波数Ｆ1は、１．１７×Ｆ0＜Ｆ1を満たすことが好ましく、１．２２×Ｆ0＜Ｆ1を満たすことがより好ましく、１．３４×Ｆ0＜Ｆ1を満たすことがさらに好ましい。上記条件を満たすことで、ケース部２６の共鳴周波数Ｆ1において通気スリーブ１２内に生じる第一共鳴の透過音圧強度がピーク値に対して２０％以下、１５％以下、１０％以下となる。
【００７２】
本発明の防音システムは、１．１５×Ｆ0＜Ｆ1を満たす消音器、すなわち、通気スリーブに生じる第一共鳴の周波数に対して共鳴しない消音器のみを有することが好ましい。すなわち、本発明の防音システムにおいては、複数の消音器を有する場合でも、全ての消音器が１．１５×Ｆ0＜Ｆ1を満たすことが好ましい。
言い換えると、本発明の防音システムは、０．８５×Ｆ0＜Ｆ1＜１．１５×Ｆ0を満たす消音器、すなわち、通気スリーブに生じる第一共鳴の周波数に対して共鳴する消音器を有さないことが好ましい。より好ましくは、本発明の防音システムは、０．７５×Ｆ0＜Ｆ1＜１．３４×Ｆ0を満たす消音器を有さない。
【００７３】
ここで、防音性能の観点から、通気スリーブの軸方向における、消音器２２のケース部２６の空洞部３０の幅Ｌ1は、０．０１×λ≦Ｌ1≦３００ｍｍを満たすのが好ましい。また、通気スリーブの径方向における、空洞部３０の深さＬ2は、０．０２５×λｍｍ≦Ｌ2≦１７５ｍｍを満たすのが好ましい。
なお、位置によって空洞部３０の深さが異なる場合には、空洞部３０の深さＬ２は、各位置での深さの平均値である。
また、位置によって開口部３２の幅が異なる場合には、開口部３２の幅Ｌ１は、各位置での幅の平均値である。
なお、幅Ｌ1、深さＬ2は分解能を１ｍｍとして測定すればよい。すなわち、１ｍｍ未満の凹凸等の微細構造を有する場合には、これを平均化して幅Ｌ1、深さＬ2を求めればよい。
【００７４】
消音器２２の空洞部３０の幅Ｌ1および深さＬ2の範囲についてシミュレーションを用いて説明する。
図３に示すモデルと同様のモデルを用いて、消音器２２の空洞部３０の幅Ｌ1および深さＬ2を種々変更して計算を行なった。実効音響伝搬長α／第一共鳴の波長λのｌｏｇ値は、−０．９０とした。多孔質吸音材の流れ抵抗は１３０００［Ｐａ・ｓ／ｍ2］とした。
図２０に、シミュレーションの結果を、Ｌ1／λとＬ2／λと５００Ｈｚバンドの透過損失との関係のグラフとして示す。なお、５００Ｈｚバンドの透過損失は、３５５Ｈｚ以上７１０Ｈｚ以下の周波数での透過損失の平均値を求めたものである。
また、図２１には、Ｌ2／λが０．２４場合のＬ1／λと５００Ｈｚバンドの透過損失との関係を表すグラフを示し、図２２には、Ｌ1／λが０．２４の場合のＬ2／λと５００Ｈｚバンドの透過損失との関係を表すグラフを示す。
【００７５】
なお、５００Ｈｚバンドの透過損失ＴＬ500の算出方法は以下のとおりである。
３５５Ｈｚ〜７１０Ｈｚの領域を１／２４オクターブバンドの周波数間隔で透過音圧強度を計算し、足し算したものをΣＩとすると、５００バンドの透過損失ＴＬ500は、
ＴＬ500＝１０×ｌｏｇ（ΣＩref／ΣＩ）
で求めた。なお、ΣＩrefは、ストレート管のΣＩである。
【００７６】
図２０および図２１から、５００Ｈｚバンドにおいて３ｄＢ以上の十分な防音性能が得られる観点から、空洞部の幅Ｌ1は、０．０１０×λより大きいことが好ましいことが分かる。
また、５００Ｈｚバンドにおいてより高い防音性能が得られる観点から、空洞部３０の幅Ｌ1は、０．０２０×λ以上であるのがより好ましく、０．０３０×λ以上であるのがより好ましく、０．０４０×λ以上であるのがさらに好ましい。
【００７７】
また、図２０および図２２から、５００Ｈｚバンドにおいて３ｄＢ以上の十分な防音性能が得られる観点から、空洞部の深さＬ2は、０．０２５×λより大きいことが好ましいことが分かる。
また、５００Ｈｚバンドにおいてより高い防音性能が得られる観点から、空洞部３０の深さＬ2は、０．０３５×λ以上であるのがより好ましく、０．０４５×λ以上であるのがより好ましく、０．０６１×λ以上であるのがさらに好ましい。
【００７８】
また、住宅用の壁は、全体の厚み（コンクリート壁と化粧板との合計厚み）は最大で４００ｍｍであり、コンクリート壁が少なくとも１００ｍｍであるため、空洞部の幅Ｌ1は、住宅のコンクリート壁と化粧板との間の空間に配置可能な観点から、３００ｍｍ以下であるのが好ましく、２００ｍｍ以下であるのがより好ましく、１２０ｍｍ以下であるのがさらに好ましい。
【００７９】
一方、消音器は径方向において住宅の柱と柱の間に配置される。住宅の柱と柱の間は最大で４５０ｍｍ程度であり、通気スリーブは少なくとも１００ｍｍ程度である。従って、空洞部の深さＬ2は、住宅の柱と柱の間の空間に配置可能な観点から、１７５ｍｍ以下（＝（４５０ｍｍ−１００ｍｍ）／２）であるのが好ましく、１００ｍｍ以下であるのがより好ましく、７５ｍｍ以下であるのがさらに好ましい。
【００８０】
ここで、図１に示す例では、消音器２２は、開口部３２の軸方向の長さ（以下、開口部の幅という）が空洞部３０の幅Ｌ1と同じとしたが、これに限定はされず、開口部３２の幅が空洞部の幅Ｌ2よりも小さい構成としてもよい。
【００８１】
また、図１に示す例では、防音システムは１つの消音器２２を有する構成としたが、これに限定はされず、２以上の消音器２２を通気スリーブ１２の軸方向に配列した構成としてもよい。言い換えると、通気スリーブ１２の軸方向の少なくとも２箇所以上の位置に、複数の消音器２２の開口部３２が配置される構成としてもよい。
また、複数の消音器を軸方向に配置する構成とする場合には、各消音器の開口部および空洞部等の寸法は互いに異なっていてもよい。
【００８２】
また、複数の消音器を軸方向に配置する構成とする場合には、各消音器の空洞部内に音響特性の異なる多孔質吸音材を配置する構成としてもよい。
【００８３】
また、吸音材は、その形状が空洞部の形状に合わせて成型されたものとするのが好ましい。吸音材の形状を空洞部の形状に合わせて成型されたものとすることで、吸音材を空洞部内に均一に充填するのが容易になり、コストダウンでき、メンテナンスを簡易化することが可能となる。
【００８４】
また、１つの空洞部に複数の吸音材を配置する構成としてもよい。
図３１に示す防音システムは、消音器２２の空洞部３０内に３つの吸音材２４ａ、２４ｂおよび２４ｃが配置されている。空洞部内において、吸音材２４ａ〜２４ｃは軸方向に積層されている。
空洞部内に複数の吸音材を配置する構成とすることで、製造の際に、吸音材を開口部から空洞部内に充填しやすくなり、また、メンテナンスの際に、吸音材を交換しやすくなる。
また、空洞部の形状に合わせて成型された吸音材が複数に分割されているのがより好ましい。
【００８５】
また、図３２に示す防音システムのように、消音器２２の開口部３２が、音波は透過し、空気（風）は遮蔽する防風用フィルム４４によって覆われているのが好ましい。
消音器２２の空洞部３０内に空気が流入可能な構成の場合には、直管の場合に比べて、消音システム全体としての圧力損失が大きくなる。そのため、通気量が少なくなってしまうおそれがある。これに対して、消音器２２の開口部３２を防風用フィルム４４で覆う構成とすることで、防風用フィルム４４が音波を透過するため、消音器２２による消音の効果は得られ、かつ、防風用フィルム４４が空気を遮蔽するため、空洞部３０内に空気が流入するのを抑制して圧力損失を低減することができる。
【００８６】
防風用フィルム４４は、非通気のフィルムであってもよく、通気性の低いフィルムであってもよい。
非通気の防風用フィルム４４の材料としては、ポリメタクリル酸メチル（ＰＭＭＡ）などのアクリル樹脂、ポリエチレンテレフタレート（ＰＥＴ）、ポリカーボネート、ポリアミドイド、ポリアリレート、ポリエーテルイミド、ポリアセタール、ポリエーテルエーテルケトン、ポリフェニレンサルファイド、ポリサルフォン、ポリブチレンテレフタラート、ポリイミド、トリアセチルセルロース等の樹脂材料、が利用可能である。
低通気性の防風用フィルム４４の材料としては、上記樹脂からなる多孔質フィルム、多孔質金属箔（多孔質アルミニウム箔等）、不織布（レジンボンド不織布、サーマルボンド不織布、スパンボンド不織布、スパンレース不織布、ナノファイバー不織布）、織布、紙等が利用可能である。
なお、多孔質フィルム、多孔質金属箔、不織布、織布を用いた場合には、それらが有する貫通孔部によって吸音効果を得ることができる。すなわち、これらは音エネルギーを熱エネルギーに変換する変換機構としても機能する。
防風用フィルム４４の厚みは、材質にもよるが、１μｍ〜５００μｍが好ましく、３μｍ〜３００μｍがより好ましく、５μｍ〜１００μｍがより好ましい。
【００８７】
また、消音器２２の開口部３２を覆う防風用フィルム４４は、消音器２２の内部（空洞部３０内）に水および／または埃が浸入するのを防止するカバーとしても機能する。防風用フィルム４４を水の浸入を抑制する防水カバーとして用いる場合には、防風用フィルム４４に撥水処理を施すのが好ましい。
【００８８】
なお、前述のとおり、防風用フィルム４４で消音器２２の開口部３２を覆う構成とした場合には、防風用フィルム４４が膜として膜振動可能な状態で消音器２２に支持される構成となるが、本発明においては、防風用フィルム４４を有する構成であっても、通気スリーブ１２が第一共鳴する音波の周波数の音に対して膜振動による共鳴をしない。具体的には、前述のとおり、通気スリーブ内に生じる第一共鳴の周波数をＦ0とし、防風用フィルム４４の膜振動の共鳴周波数をＦ1とすると、１．１５×Ｆ0＜Ｆ1を満たす。
防風用フィルム４４を有する場合に、通気スリーブ１２が第一共鳴する音波の周波数の音に対して膜振動による共鳴をしない構成とするためには、すなわち、１．１５×Ｆ0＜Ｆ1を満たす構成とするためには、消音器２２の開口部３２の大きさ、空洞部３０の体積等に応じて、防風用フィルム４４の材質、厚み等を適宜設定すればよい。
【００８９】
また、図１に示す例では、消音器は通気スリーブと一体的に形成される構成としたが、これに限定はされず、消音器は、通気スリーブとは別部材として形成されていてもよい。
【００９０】
消音器を通気スリーブと別部材とする場合には、例えば、図３５に示すように、消音器２２に挿入部２８が設けられた構成としてもよい。図３５において、消音器２２は、通気スリーブ１２の外周に沿って、通気スリーブ１２の一方の開口端側に環状に配置される。また、挿入部２８は、消音器２２の通気スリーブ１２側の面から通気スリーブ１２の軸方向に立設し、軸方向に貫通する開口を有する筒状の部材である。また、通気スリーブ１２の中心軸に垂直な断面で見た際に、挿入部２８の外形は通気スリーブ１２の内周面の形状と略同じ形状および大きさである。すなわち、挿入部２８は、通気スリーブ１２の内周面に沿った形状である。この挿入部２８を通気スリーブ１２内に挿入することで、消音器２２を通気スリーブ１２の一方の開口端側に着脱可能に配置することができる。
【００９１】
消音器を通気スリーブと別部材とした場合の、消音器と通気スリーブ（壁）との固定方法には特に限定はなく、公知の固定方法で固定すればよい。例えば、消音器を通気スリーブ（壁）の端面に接着剤を用いて固定する方法、消音器を通気スリーブ（壁）の端面にねじ止めする方法、上述した挿入部を通気スリーブ内に挿入して固定する方法、消音器（あるいは挿入部）に凸部（あるいは凹部）を設け、通気スリーブ（あるいは壁）に凹部（あるいは凸部）を設け、凹部と凸部とをかみ合わせて固定する方法、等が挙げられる。
上述の固定方法は、消音器の振動を抑制できる点で好ましい。
【００９２】
なお、挿入部を通気スリーブ内に挿入して固定する方法の場合には、挿入部と通気スリーブとの間にシーリング材を配置してもよい。シーリング材はテープ状のものであってもよいし、ゴム、ウレタン等を隙間に充填するものであってもよい。
また、挿入部を通気スリーブ内に挿入して固定する方法の場合には、挿入部の外径を先端（消音器とは反対側）に向かうに従って細くなる形状とするのが好ましい。また、挿入部に切込みを有する構成としてもよい。これらの構成により、挿入部を通気スリーブ内に挿入しやすく、かつ、通気スリーブ内に挿入した状態で固定しやすくなる。
【００９３】
また、消音器を通気スリーブと別部材とした場合には、消音器は通気スリーブに着脱可能に設置されるのが好ましい。これにより、消音器の交換、あるいはリフォーム等を簡単に行うことができる。
また、消音器と通気スリーブの開口端（壁）とは接していてもよいし、離間していてもよい。すなわち、消音器と通気スリーブの開口端（壁）との間に間隙を有していてもよい。
【００９４】
また、図１等に示す例では、消音器の空洞部は、通気スリーブの径方向において、通気スリーブの外周部に配置される構成としたが、これに限定はされず、消音器の空洞部の一部が通気スリーブの内側に配置される構成としてもよい。すなわち、通気スリーブの径方向において、消音器の一部が通気スリーブ内に配置され、通気可能な通風路の断面積が通気スリーブの断面積よりも少なくなる構成としてもよい。
このような構成の場合には、通風路の断面積が、後述するカバー部材（ルーバ、ガラリ等）、および、風量調整部材（レジスター）の通気量以上の通気量となるようにすればよい。
【００９５】
また、消音器は、通気スリーブ（壁）の室内側の端面、および、室外側の端面のどちらに設置してもよいが、室内側の端面、すなわち、コンクリート壁と化粧板との間に設置されるのが好ましい。
【００９６】
また、消音器がコンクリート壁と化粧板との間の空間に設置される場合には、消音器は化粧板側の端面が、化粧板の壁側の面よりも壁側に配置される構成としてもよい。あるいは、消音器は化粧板側の端面が、化粧板の壁とは反対側の面と面一に配置される構成としてもよい。すなわち、化粧板に形成される貫通孔を消音器の外径と略同じにして、化粧板の貫通孔に消音器を挿通させる構成としてもよい。なお、消音器は化粧板側の端面と、化粧板の壁とは反対側の面とが面一となる構成に限定はされず、消音器の一部が、化粧板がある平面上に存在する構成であってもよい。
化粧板の貫通孔に消音器を挿通させる構成とすることで、消音装置の設置、交換等が容易になる。
【００９７】
また、例えば、図３３に示すように、防音システムは、消音器を分離可能に構成されていてもよい。消音器を分離可能とすることで、消音器の大きさおよび数等を変えた消音器の作製が容易となる。また、空洞部内への吸音材の設置および交換が容易となる。
例えば、コンクリート壁と化粧板との間の距離はさまざまで、同じマンションであっても場所によって異なったり、施工会社によって異なったりする。コンクリート壁と化粧板との間の距離に応じて、そのつど消音器を設計して作製するとコストがかかる。また全ての距離に適用できるよう消音器を薄く設計すると、防音性能が低くなってしまう。そこで、消音器をコンクリート壁と化粧板との間に設置する場合に、コンクリート壁と化粧板との間の距離に応じて分離された複数の消音器を適宜組み合わせて設置することで、低コストで防音性能を最大化することができる。
【００９８】
また、防音システムは、通気スリーブのいずれか一方の端面側に設置されるカバー部材および他方の端面側に設置される風量調整部材の少なくとも一方を有していてもよい。カバー部材は、換気口および空調用ダクト等に設置される従来公知の、ルーバー、ガラリ等である。また、風量調整部材は、従来公知のレジスター等である。
また、カバー部材および風量調整部材は、通気スリーブの消音器が設置された側の端面側に設置されてもよいし、消音器が設置されていない側の端面側に設置されてもよい。
【００９９】
なお、防音システムが、カバー部材および風量調整部材を有する場合には、通気スリーブ内に生じる第一共鳴は、カバー部材、風量調整部材を含む防音システムにおける通気スリーブの第一共鳴である。
【０１００】
また、図２３および図２４に示す例のように、通気スリーブ１２内に浸入防止板３４を有する構成としてもよい。
図２３は、本発明の防音システムの他の一例の模式的断面図であり、浸入防止板３４を有する以外は図１に示す防音システムと同様の構成を有する。また、図２４は、図２３のＣ−Ｃ線断面図である。
図２３および図２４に示すように、浸入防止板３４は、通気スリーブ１２内の鉛直方向の下方に、通気スリーブ１２の径方向に立設している板状の部材である。
【０１０１】
住宅の壁に設置される通気スリーブは、屋外に通じているため、台風などの強風時には雨水が外部ガラリや外部フード等を通過して通気スリーブ内に浸入する場合がある。本発明の防音システムでは、空洞部を有する消音器が通気スリーブに接続されているため、通気スリーブ内に浸入した雨水が空洞部に浸入して溜まってしまうおそれがある。
【０１０２】
これに対して、図２３よび図２４に示すように、通気スリーブ１２内に浸入防止板３４を設けることで、外部から通気スリーブ内に浸入した雨水が消音器の空洞部に浸入するのを防止できる。
浸入防止板３４の鉛直方向の高さは、５ｍｍ以上４０ｍｍ以下が好ましい。
【０１０３】
また、雨水が消音器２２の空洞部３０に浸入するのを防止する構成として、図２５および図２６に示すように、消音器２２の開口部３２の鉛直方向の下側の領域を蓋部３６で塞ぐ構成としてもよい。
図２５は、本発明の防音システムの他の一例の模式的断面図であり、蓋部３６を有する以外は図１に示す防音システムと同様の構成を有する。また、図２６は、図２５のＥ−Ｅ線断面図である。
図２５および図２６に示すように、消音器２２の開口部３２の鉛直方向の下側の領域を蓋部３６で塞ぐ構成とすることによって、外部から通気スリーブ１２内に浸入した雨水が消音器２２の空洞部３０に浸入するのを防止できる。
【０１０４】
また、図３４に示すように、消音器２２の開口部３２側に仕切り部材５４を配置して、仕切り部材５４を交換可能とする構成としてもよい。仕切り部材５４を交換可能とすることで、開口部３２の大きさを容易に変更することができるため、消音器２２（ケース部材２６）の共鳴周波数を適宜設定することができる。また、空洞部３０内に設置された吸音材２４を容易に交換することができる。
【０１０５】
また、消音器２２は、通気スリーブ１２内に生じる第一共鳴の音場空間に接続しない位置に、空洞部３０と連通する第２開口部を有していてもよい。
第２開口部の形成位置は、通気スリーブ１２内に生じる第一共鳴の音場空間に接続しない位置であれば限定はない。例えば、第２開口部は、消音器２２の外周面に形成される。また、第２開口部の大きさも限定はない。
【０１０６】
ここで、通気スリーブ１２内に生じる第一共鳴の音場空間に接続しない位置に第２開口部を形成した構成の場合には、水や湿気が壁内に侵入したり、壁から空洞部内に水や湿気が入り込んだりするおそれがある。そこで、第２開口部をフィルム状の部材で覆う構成としてもよい。フィルム状の部材は、音波を通しやすく水を通さないものであればよく、サランラップ（登録商標）等の薄い樹脂フィルム、撥水処理した不織布等を用いることができる。これによって、水や湿気が入り込むのを防止することができる。フィルム状の部材の材料としては、前述の防風用フィルム４４の材料と同様の材料を用いることができる。
【０１０７】
消音器の形成材料としては、金属材料、樹脂材料、強化プラスチック材料、および、カーボンファイバ等を挙げることができる。金属材料としては、例えば、アルミニウム、チタン、マグネシウム、タングステン、鉄、スチール、クロム、クロムモリブデン、ニクロムモリブデン、および、これらの合金等の金属材料を挙げることができる。また、樹脂材料としては、例えば、アクリル樹脂、ポリメタクリル酸メチル、ポリカーボネート、ポリアミドイド、ポリアリレート、ポリエーテルイミド、ポリアセタール、ポリエーテルエーテルケトン、ポリフェニレンサルファイド、ポリサルフォン、ポリエチレンテレフタラート、ポリブチレンテレフタラート、ポリイミド、および、トリアセチルセルロース等の樹脂材料を挙げることができる。また、強化プラスチック材料としては、炭素繊維強化プラスチック（ＣＦＲＰ：Carbon Fiber Reinforced Plastics）、および、ガラス繊維強化プラスチック（ＧＦＲＰ：Glass Fiber Reinforced Plastics）を挙げることができる。
ここで、消音器は、排気口等に利用可能な点から、難燃材料より耐熱性の高い材料からなることが好ましい。耐熱性は、例えば、建築基準法施行令の第百八条の二各号を満たす時間で定義することができる。建築基準法施行令の第百八条の二各号を満たす時間が５分間以上１０分間未満の場合が難燃材料であり、１０分間以上２０分間未満の場合が準不燃材料であり、２０分間以上の場合が不燃材料である。ただし耐熱性は各分野ごとで定義されることが多い。そのため、防音システムを利用する分野に合わせて、消音器２２および消音器を、その分野で定義される難燃性相当以上の耐熱性を有する材料からなるものとすればよい。
【０１０８】
また、本発明の防音システムにおいて、他の市販の防音部材を有していてもよい。
例えば、本発明における消音器以外に、通気スリーブの内部に設置する内挿型消音器を有していてもよいし、通気スリーブの端部に設置する野外設置型消音器を有していてもよい。
他の防音部材と組み合わせることで、より広い帯域で高い防音性能を得られる。
【実施例】
【０１０９】
以下に実施例に基づいて本発明をさらに詳細に説明する。以下の実施例に示す材料、使用量、割合、処理内容、処理手順等は、本発明の趣旨を逸脱しない限り適宜変更することができる。したがって、本発明の範囲は以下に示す実施例により限定的に解釈されるべきものではない。
【０１１０】
防音システムを作製して防音性能を評価した結果について説明する。
まず、リファレンスとして、簡易小型防音室（図２７参照）を用いて、消音器を配置しない場合の透過音圧の測定を行なった。リファレンスを測定した簡易小型防音室は、消音器を配置していない以外は、図２７に示す簡易小型防音室と同様の構成である。
簡易小型防音室は、５面を吸音ウレタンフォームＷ3（厚み１００ｍｍ、富士ゴム産業株式会社製  Ｕ００Ｆ２）およびその外側に配置される厚み５ｍｍのアクリル板Ｗ1で囲まれ、残りの１面を、吸音ウレタンフォームＷ6（厚み１００ｍｍ、富士ゴム産業株式会社製  Ｕ００Ｆ２）の防音室内側の面に厚み３ｍｍのアルミニウム板Ｗ5を、他方の面に厚み５ｍｍのアクリル板Ｗ1を配置した壁部材（本発明の壁に相当）で囲まれている。壁部材の合計厚みは１０８ｍｍとした。さらに、壁部材から１１０ｍｍ離間して、壁部材に平行に厚み５ｍｍのアクリル板Ｗ1（本発明の化粧板に相当）が配置されている。
また、５面の吸音ウレタンフォームＷ3のうち、左右面に配置される３面の内側の面には、波型の吸音ウレタンフォームＷ4（最大厚み３５ｍｍ、富士ゴム産業株式会社製  Ｕ００Ｆ６）を配置した。防音室内の大きさは、８００ｍｍ×８００ｍｍ×９００ｍｍとした。
吸音ウレタンフォームＷ6とアルミニウム板Ｗ5とアクリル板Ｗ1とを有する壁部材および化粧板には、壁部材および化粧板を貫通して、内径１００ｍｍの塩化ビニル製の通気スリーブ１２を設置した。
通気スリーブ１２の外側の端面には風量調整部材２０としてレジスター（株式会社ユニックス製  ＫＲＰ−ＢＷＦ）を取り付けた。
なお、アクリル板Ｗ1およびアルミニウム板Ｗ5は端部を３０ｍｍ角のアルミニウム製のフレームＦｒに固定して支持した。
【０１１１】
防音室内には、ホワイトノイズを発生させるスピーカーＳＰ（ＦＯＳＴＥＸ社製  かんすぴセット ＫＡＮＳＰＩ−８）を２つ配置した。また、防音室外のレジスター２０から５０ｃｍ離間した位置には、音波検出用の測定用マイクロフォンＭＰ（株式会社アコー製  ＴＹＰＥ４１５２Ｎ）を配置した。
【０１１２】
まず、レジスター２０を閉じて、２つのスピーカーＳＰからホワイトノイズを発生させて、測定用マイクロフォンＭＰで、サンプリングレート２５０００Ｈｚで１０秒間、音圧を測定した。測定した音圧のデータに対してフーリエ変換を行い周波数スペクトルを算出した。フーリエ変換後のデータは１０Ｈｚ間隔で平均化した。このデータをバックグラウンドデータとする。
【０１１３】
次に、レジスター２０を全開にして上記と同様に音圧を測定して、音圧のデータに対してフーリエ変換を行い周波数スペクトルを算出し、バックグラウンドデータとの差分を求めてリファレンスデータとした。
【０１１４】
［実施例１］
実施例１として、図２７に示すように、壁部材と化粧板との間に消音器２２を設置、通気スリーブと接続して防音システムを構成した。レジスター２０を全開にして上記と同様に音圧を測定して、音圧のデータに対してフーリエ変換を行い周波数スペクトルを算出し、バックグラウンドデータとの差分を求めて透過音圧強度のデータとした。
【０１１５】
なお、実施例１の消音器２２は、周面方向において通気スリーブ１２の外周面の全周に沿った円環状であり、開口部３２が周面方向に沿ったスリット状に形成された形状である。
ケース部２６の空洞部３０の幅Ｌ1は１００ｍｍ、深さＬ2は２７ｍｍとした。また、レジスターを配置したため、軸方向の開口部３２の幅は６０ｍｍ相当となる。
多孔質吸音材２４は、ポリエステルフェルト（ｅ−フェルト：株式会社ピアリング製）を用いた。
ここで、リファレンスの測定結果（図２８）から通気スリーブの第一共鳴の周波数はＦ1は、５００Ｈｚであり、波長λは、６８６ｍｍであった。また、実施例１の、周波数Ｆ1（５００Ｈｚ）における多孔質吸音体２４の実効音響伝搬長α0を音響管で測定した伝搬定数から算出したところ、２７３[ｍｍ]であった。従って、消音器２２内の実効音響伝搬長αは２７３ｍｍであり、ｌｏｇ（α／λ）は、−０．４０であった。
【０１１６】
［実施例２］
空洞部３０の深さＬ2を５１ｍｍとした以外は実施例１と同様にして、透過音圧強度を求めた。
実施例１と同様、ｌｏｇ（α／λ）は、−０．４０であった。
リファレンス、実施例１および２の結果を図２８に示す。
また、実施例１および実施例２の結果から５００Ｈｚバンドの透過損失を求めた。結果を図２９に示す。
また、図３０には、前述した図２０のグラフ上に実施例１および実施例２の点をプロットしたグラフを示す。
【０１１７】
図２８から、周波数Ｆ1における消音器２２内の実効音響伝搬長αが、−１．８＜ｌｏｇ（α／λ）＜１を満たすことで通気スリーブの第一共鳴の周波数付近の音を消音することができることがわかる。
また、図２９から、深さＬ2が０．０４５×λ（３１ｍｍ）以上のほうが５００Ｈｚバンドの透過損失が高い（防音性能が高い）ことがわかる。
また、図３０から、シミュレーションの結果と実施例とが良く一致していることがわかる。
以上の結果より本発明の効果は明らかである。
【符号の説明】
【０１１８】
１０  防音システム
１２  通気スリーブ
１６  壁
２０  風量調整部材
２２  消音器
２４  多孔質吸音材
２６  ケース部
２８  挿入部
３０  空洞部
３２  開口部
３４  浸入防止板
４０  化粧板
４４  防風フィルム
５４  仕切り部材
【図１】
2020024354.tif 000004
【図２】
2020024354.tif 000005
【図３】
2020024354.tif 000006
【図４】
2020024354.tif 000007
【図５】
2020024354.tif 000008
【図６】
2020024354.tif 000009
【図７】
2020024354.tif 000010
【図８】
2020024354.tif 000011
【図９】
2020024354.tif 000012
【図１０】
2020024354.tif 000013
【図１１】
2020024354.tif 000014
【図１２】
2020024354.tif 000015
【図１３】
2020024354.tif 000016
【図１４】
2020024354.tif 000017
【図１５】
2020024354.tif 000018
【図１６】
2020024354.tif 000019
【図１７】
2020024354.tif 000020
【図１８】
2020024354.tif 000021
【図１９】
2020024354.tif 000022
【図２０】
2020024354.tif 000023
【図２１】
2020024354.tif 000024
【図２２】
2020024354.tif 000025
【図２３】
2020024354.tif 000026
【図２４】
2020024354.tif 000027
【図２５】
2020024354.tif 000028
【図２６】
2020024354.tif 000029
【図２７】
2020024354.tif 000030
【図２８】
2020024354.tif 000031
【図２９】
2020024354.tif 000032
【図３０】
2020024354.tif 000033
【図３１】
2020024354.tif 000034
【図３２】
2020024354.tif 000035
【図３３】
2020024354.tif 000036
【図３４】
2020024354.tif 000037
【図３５】
2020024354.tif 000038
【図３６】
2020024354.tif 000039
【図３７】
2020024354.tif 000040
【図３８】
2020024354.tif 000041